(57)【要約】【課題】ステージの移動の向きによらず、単純な構成によって、観察用容器の位置ずれを抑制すること。【解決手段】不要細胞除去装置に備えられたホルダ１０は、載置部材４０と、開放位置と保持位置との間で移動可能な蓋部材と、蓋部材を保持位置で係止する係止部とを有する。蓋部材には、押え面７１を有する押え板７０が、ばね８０を介して取り付けられている。ばね８０は、係止部６０が蓋部材を保持位置で係止し、且つ、押え面７１が培養容器１００の上端面１０２ｂを押さえている状態で、水平面内における複数の付勢位置において押え板７０を付勢する。複数の付勢位置は、中心線Ｃ１によって押え面７１を２つの領域Ｒ１、Ｒ２に分けたときに、両方の領域に存在し、中心線Ｃ２によって押え面７１を２つの領域Ｒ３、Ｒ４に分けたときにも、両方の領域に存在する。【選択図】図８
2019128547.tif 000002
【特許請求の範囲】
【請求項１】
円筒状及び直方体状の観察用容器のうち少なくともいずれかを保持可能なホルダと、
前記ホルダが固定されたステージと、
前記ステージを水平方向に移動させるステージ移動装置と、を備える顕微鏡であって、
前記ホルダは、
前記観察用容器が載置される載置面を有する載置部材と、
前記載置面に載置されている前記観察用容器を保持可能な保持位置と、前記観察用容器を交換可能な開放位置との間で移動可能な蓋部材と、
前記蓋部材を前記保持位置で係止する係止部と、を有し、
前記蓋部材には、前記観察用容器の上端面を押さえる押え面を有する押え板が、前記押え板を付勢する板付勢部材を介して取り付けられており、
前記板付勢部材は、
前記係止部が前記蓋部材を前記保持位置で係止し、且つ、前記押え面が前記観察用容器の上端面を押さえている状態で、水平面内における複数の付勢位置において前記押え板を下方へ付勢し、
前記複数の付勢位置は、
前記押え面のうち前記観察用容器の上端面に接触する接触部分の中心を通る第１中心線によって、前記押え面を２つの領域に分けたときに、両方の領域に存在し、
前記接触部分の中心を通り、且つ、前記第１中心線と直交する第２中心線によって、前記押え面を２つの領域に分けたときにも、両方の領域に存在することを特徴とする顕微鏡。
【請求項２】
前記蓋部材は、
前記載置面の面方向において、前記載置面のうち前記観察用容器の底面と接触する部分よりも外側に配置され、且つ、前記面方向に沿って所定の軸方向に延びる回動軸を回動支点として、回動可能に設けられていることを特徴とする請求項１に記載の顕微鏡。
【請求項３】
前記回動軸の軸中心は、
前記蓋部材が前記保持位置に位置しているときの前記押え面よりも上方に配置されていることを特徴とする請求項２に記載の顕微鏡。
【請求項４】
観察用の照明光を生成する照明装置を備え、
前記ホルダは、円筒状である前記観察用容器を保持可能であり、
前記押え板には、前記照明光を通過させるための窓が形成され、
前記押え面の前記接触部分は、前記窓の縁部に形成され、
前記縁部は、
前記押え面と平行であり、且つ、前記軸方向と直交する直交方向において、前記窓の中心よりも前記回動軸側に位置する途中部よりもさらに前記回動軸側の部分が、前記観察用容器の前記上端面に接触しないように切り欠かれていることを特徴とする請求項２又は３に記載の顕微鏡。
【請求項５】
前記蓋部材が前記保持位置から前記開放位置に移動する向きに前記蓋部材を付勢するねじりばねが、前記回動軸に取り付けられていることを特徴とする請求項２〜４のいずれかに記載の顕微鏡。
【請求項６】
前記係止部は、
前記保持位置に位置している前記蓋部材を上方から押さえることで前記蓋部材を係止する係止姿勢と、前記蓋部材の係止を解除する解除姿勢との間で姿勢を切換可能なロック部材と、
前記ロック部材が前記解除姿勢から前記係止姿勢に変化する向きに前記ロック部材を付勢するロック付勢部材と、を有することを特徴とする請求項１〜５のいずれかに記載の顕微鏡。
【発明の詳細な説明】
【技術分野】
【０００１】
本発明は、水平方向に移動可能なステージを備える顕微鏡に関する。
【背景技術】
【０００２】
特許文献１には、培養された細胞を処理する細胞処理システムが開示されている。細胞処理システムは、細胞培養容器（以下、容器とする）の底部が収容される窪みが形成された支持体と、支持体を水平方向に移動させる変位機構（ＸＹステージ）と、細胞を撮影する撮像装置と、細胞を死滅させるレーザー光を生成するレーザー照射装置とを備える。上記の細胞処理システムにおいては、撮像装置による細胞の画像の取得時や、レーザー照射装置による不要な細胞の除去時に、容器及び支持体がＸＹステージによって水平方向に移動する。
【０００３】
上述した細胞処理システムにおいては、処理効率を高めるため、高速でＸＹステージを動かすことが求められる。但し、単に容器の底部を支持体の窪みに収容させただけでは、ＸＹステージを加減速させたときに、容器に作用する慣性力によって容器の位置が微妙にずれ、撮像等の位置精度が悪化するおそれがある。そこで、支持体として、例えば特許文献２に開示されているような観察用保持具（ホルダ）を用いることが考えられる。第１の例（図１参照）として、ホルダは、容器が収容される凹部を有する押え台枠と、容器の上端面を押さえる押えアームと、容器の側面を押さえる押えねじとを備える。押えアームは、支点を挟んで一方側部分と他方側部分に分かれている。一方側部分が容器の上端面に接触し、他方側部分がばねによって上方へ付勢される。これにより、押えアームの一方側部分が下方へ付勢され、容器が下方へ押圧されて、容器の底面と押え台枠との間に働く摩擦力が大きくなる。摩擦力が上述した慣性力よりも大きければ、容器の位置ずれが抑制される。また、第２の例（図６参照）として、凹部を有する台枠と、容器の左右両側の上端面を下方に押圧する２つの押えピンとを備えるホルダも開示されている。これにより、第１の例のホルダと同じく、容器の底面と押え台枠との間の摩擦力が大きくなる。
【先行技術文献】
【特許文献】
【０００４】
【特許文献１】特開２０１７−２１２９４４号公報
【特許文献２】特開昭６２−１５９１１１号公報
【発明の概要】
【発明が解決しようとする課題】
【０００５】
特許文献２に記載の、第１の例のホルダにおいては、押えアームの一方側部分（容器の上端面に接触する部分）のうち、支点から近い側と遠い側とで、容器を押圧する力が異なるため、容器に作用する下方への力が偏る（つまり、上述した摩擦力が偏る）おそれがある。このため、容器の移動方向によっては、ＸＹステージの加減速時に、容器と押え台枠との間に働く摩擦力が、容器に作用する慣性力に負けて、容器の位置がずれるおそれがある。また、第１の例のホルダにおいては、押えねじによって側面からも容器を固定することが図られているが、上方と側方の両方から容器を押さえる構成では、構造が複雑化するという問題もある。
【０００６】
また、第２の例のホルダのように、容器の上端面を左右両側から２箇所で押さえている構成では、左右方向に垂直な方向に容器が移動した場合、容器と押え台枠との間に働く摩擦力が慣性力に負けて、容器の位置がずれるおそれがある。
【０００７】
本発明の目的は、ステージの移動の向きによらず、単純な構成によって、観察用容器の位置ずれを抑制することである。
【課題を解決するための手段】
【０００８】
第１の発明の顕微鏡は、円筒状及び直方体状の観察用容器のうち少なくともいずれかを保持可能なホルダと、前記ホルダが固定されたステージと、前記ステージを水平方向に移動させるステージ移動装置と、を備える顕微鏡であって、前記ホルダは、前記観察用容器が載置される載置面を有する載置部材と、前記載置面に載置されている前記観察用容器を保持可能な保持位置と、前記観察用容器を交換可能な開放位置との間で移動可能な蓋部材と、前記蓋部材を前記保持位置で係止する係止部と、を有し、前記蓋部材には、前記観察用容器の上端面を押さえる押え面を有する押え板が、前記押え板を付勢する板付勢部材を介して取り付けられており、前記板付勢部材は、前記係止部が前記蓋部材を前記保持位置で係止し、且つ、前記押え面が前記観察用容器の上端面を押さえている状態で、水平面内における複数の付勢位置において前記押え板を下方へ付勢し、前記複数の付勢位置は、  前記押え面のうち前記観察用容器の上端面に接触する接触部分の中心を通る第１中心線によって、前記押え面を２つの領域に分けたときに、両方の領域に存在し、前記接触部分の中心を通り、且つ、前記第１中心線と直交する第２中心線によって、前記押え面を２つの領域に分けたときにも、両方の領域に存在することを特徴とするものである。
【０００９】
本発明では、蓋部材が保持位置で係止されているとき、蓋部材に取り付けられた押え板の押え面によって観察用容器の上端面が押さえられ、且つ、板付勢部材によって押え板が下方へ付勢される。これにより、観察用容器が押え板によって押圧される。このため、観察用容器が載置面から受ける垂直抗力が大きくなり、観察用容器と載置面との間に働く摩擦力が大きくなる。
【００１０】
さらに、本発明では、付勢部材によって、複数の付勢位置において押え板が付勢される。具体的には、押え板を第１中心線によって２つの領域に分けたときに、両方の領域に付勢位置が存在する。また、押え板を第２中心線によって２つの領域に分けたときにも、両方の領域に付勢位置が存在する。このため、付勢部材によって押え面を均等に付勢することができ、観察用容器の上端面を接触部分によって均等に押圧することができる。これにより、観察用容器の底面と載置面との間に働く摩擦力を均等にすることができるため、ステージの移動の向きによらず、観察用容器の位置ずれを抑制することができる。また、ホルダは、上方から観察用容器を押圧するだけの単純な構成であり、観察用容器の側面を固定するための押えねじ等が必要ないので、構造の複雑化を抑制できる。したがって、ステージの移動の向きによらず、単純な構成によって、観察用容器の位置ずれを抑制することができる。
【００１１】
第２の発明の顕微鏡は、前記第１の発明において、前記蓋部材は、前記載置面の面方向において、前記載置面のうち前記観察用容器の底面と接触する部分よりも外側に配置され、且つ、前記面方向に沿って所定の軸方向に延びる回動軸を回動支点として、回動可能に設けられていることを特徴とするものである。
【００１２】
本発明では、開放位置に位置している蓋部材を回動させ、係止部によって蓋部材を保持位置で係止させることで、顕微鏡を使用可能な状態にすることができる。逆に、保持位置に位置している蓋部材を回動させて開放位置に位置させることで、観察用容器の交換を行うことができる。このように、単純な操作によって、蓋部材の位置を保持位置と開放位置との間で変更することができる。したがって、観察用容器の交換作業等を容易に行うことができる。
【００１３】
第３の発明の顕微鏡は、前記第２の発明において、前記回動軸の軸中心は、前記蓋部材が前記保持位置に位置しているときの前記押え面よりも上方に配置されていることを特徴とするものである。
【００１４】
回動軸の軸中心が低い位置にあると、開放位置に位置している蓋部を回動させて保持位置に位置させる際に、押え板の接触部分のうち回動軸に近い部分が、観察用容器の上端面に対して大きく傾いた状態で上端面に接触し、観察用容器が傾く等のおそれがある。本発明では、回動軸の軸中心が、蓋部材が保持位置に位置しているときの押え面よりも上方に配置されており、高い位置にある。このため、押え板の接触部分を観察用容器の上端面に接触させる際に、上端面に対する押え面の角度を緩やかにすることができる。したがって、観察用容器が傾くこと等を抑制できる。
【００１５】
第４の発明の顕微鏡は、前記第２又は第３の発明において、観察用の照明光を生成する照明装置を備え、前記ホルダは、円筒状である前記観察用容器を保持可能であり、前記押え板には、前記照明光を通過させるための窓が形成され、前記押え面の前記接触部分は、前記窓の縁部に形成され、前記縁部は、前記押え面と平行であり、且つ、前記軸方向と直交する直交方向において、前記窓の中心よりも前記回動軸側に位置する途中部よりもさらに前記回動軸側の部分が、前記観察用容器の前記上端面に接触しないように切り欠かれていることを特徴とするものである。
【００１６】
本発明では、照明光を通過させる窓が押え板に形成され、窓の縁部に形成された接触部分によって観察用容器が押さえられる。このような構成において、押え板の接触部分が全周に亘って形成されていると、開放位置に位置している蓋部材を回動させて保持位置に移動させる際に、接触部分のうち回動軸に近い部分が、観察用容器の上端面に対して大きく傾いた状態で接触するおそれがある。本発明では、縁部のうち、直交方向において回動軸に近い部分が、観察用容器の上端面に接触しないように切り欠かれている。つまり、縁部の全周に亘って接触部分が形成されているのではない。これにより、観察用容器の上端面を押え面によって均等に押圧しつつ、接触部分を観察用容器の上端面に接触させる際に押え面の角度を緩やかにすることができる。
【００１７】
第５の発明の顕微鏡は、前記第２〜第４のいずれかの発明において、前記蓋部材が前記保持位置から前記開放位置に移動する向きに前記蓋部材を付勢するねじりばねが、前記回動軸に取り付けられていることを特徴とするものである。
【００１８】
本発明では、観察用容器の交換時等に、係止部による蓋部材の係止を解除することで、蓋部材が、ねじりばねによって付勢されて保持位置から開放位置に移動する。このため、観察用容器の交換時等に、作業者が蓋部材を回動させて開放位置に移動させる手間を省くことができる。
【００１９】
第６の発明の顕微鏡は、前記第１〜第５のいずれかの発明において、前記係止部は、  前記保持位置に位置している前記蓋部材を上方から押さえることで前記蓋部材を係止する係止姿勢と、前記蓋部材の係止を解除する解除姿勢との間で姿勢を切換可能なロック部材と、前記ロック部材が前記解除姿勢から前記係止姿勢に変化する向きに前記ロック部材を付勢するロック付勢部材と、を有することを特徴とするものである。
【００２０】
顕微鏡が使用されているときに、ステージの加減速等のはずみでロック部材が係止姿勢から解除姿勢に変化すると、板付勢部材及び押え板による観察用容器の押圧が解除されてしまうおそれがある。本発明では、ロック付勢部材によって、ロック部材が解除姿勢から係止姿勢に変化する向きに付勢されているので、板付勢部材及び押え板による観察用容器の押圧が解除されることを抑制できる。
【図面の簡単な説明】
【００２１】
【図１】本実施形態に係るホルダを備える不要細胞除去装置の全体図である。
【図２】不要細胞除去装置の電気的構成を示すブロック図である。
【図３】培養容器を示す図である。
【図４】培養容器の観察領域を示す図である。
【図５】ホルダの斜視図である。
【図６】ホルダの断面図である。
【図７】ホルダの平面図及び側面図である。
【図８】付勢位置を示す説明図である。
【図９】押え板の押え面と観察用容器の上端面とのなす角を示す図である。
【図１０】変形例に係るホルダの平面図である。
【図１１】別の変形例に係るホルダの平面図及び断面図である。
【図１２】さらに別の変形例に係る培養容器の斜視図である。
【図１３】ホルダの平面図、及び、付勢位置を示す説明図である。
【発明を実施するための形態】
【００２２】
次に、本発明の実施の形態について、図１〜図９を参照しながら説明する。
【００２３】
（不要細胞除去装置の構成）
以下、本発明に係るホルダ１０を備える不要細胞除去装置１（本発明の顕微鏡）について、図１〜図３を用いて説明する。図１は、不要細胞除去装置１の全体図である。図２は、不要細胞除去装置１の電気的構成を示すブロック図である。図３（ａ）は、培養容器１００（本発明の観察用容器）の斜視図である。図３（ｂ）は、培養容器１００の断面図である。なお、説明の便宜上、図１の紙面上下方向を上下方向とする。また、上下方向に垂直な方向を水平方向とする。
【００２４】
図１に示すように、不要細胞除去装置１は、機台２と、ステージ３と、ステージ移動装置４と、レーザー光照射装置５と、撮影装置６と、照明装置７と、制御装置８（図２参照）と、を備える。不要細胞除去装置１は、倒立顕微鏡の一種である。不要細胞除去装置１は、培養容器１００の中で培養された細胞を培養容器１００の底面側から観察して細胞の画像を取得し、不要な細胞を除去するためのものである。
【００２５】
機台２は、不要細胞除去装置１を構成する各部材を支持する箱状の部材である。機台２の内部には、レーザー光照射装置５及び撮影装置６の一部構成が収容されている。
【００２６】
ステージ３は、機台２の上方に配置されており、Ｘ軸のリニアガイド（不図示）とＹ軸のリニアガイド（不図示）とが井桁状に組まれた構成となっている。ステージ３上には、ホルダ１０が固定されている。ステージ３の、ホルダ１０が設置される部分には、可視光やレーザー光が上下方向に通過可能な空間が形成されている（図示省略）。ホルダ１０によって、培養容器１００が保持される（詳細については後述する）。培養容器１００は、可視光やレーザー光が通過可能な透明の部材、例えば透明のプラスチック部材からなる。図３（ａ）、（ｂ）に示すように、本実施形態の培養容器１００は、全体として円筒状の容器である。培養容器１００は、培養液Ｌ及び細胞Ｃ（図３（ｂ）参照）が入れられる円筒状のディッシュ１０１と、ディッシュ１０１の上部を覆う円筒状の蓋１０２とを有する。ディッシュ１０１の内側には培養液Ｌが入れられ、培養液Ｌの中で細胞Ｃが培養される。細胞Ｃは、ディッシュ１０１の内側の底面に付着している。細胞Ｃには、培養対象としている目的細胞と、目的細胞とは異なる細胞に変化した不要細胞とが含まれている。蓋１０２の径方向外側端部には、ディッシュ１０１の上端縁１０１ａと当接する複数の突起１０２ａが設けられている。突起１０２ａによって、ディッシュ１０１と蓋１０２との間にわずかな隙間が形成され、培養容器１００の内部と外部との間で空気の流出入が可能となっている。これにより、細胞Ｃが呼吸可能となっている。
【００２７】
図１に戻って説明を続ける。ステージ移動装置４は、ステージ３を水平方向（前後左右方向）に移動させるための装置である。ステージ移動装置４によってステージ３を移動させることにより、後述の集光レンズ１４及び撮影用対物レンズ２１に対して培養容器１００を水平方向に相対移動させることができる。
【００２８】
レーザー光照射装置５は、レーザー光生成器１１、コリメートレンズ１２、光学ミラー１３、及び、集光レンズ１４を有する。レーザー光照射装置５においては、レーザー光生成器１１で生成されたレーザー光が、コリメートレンズ１２及び光学ミラー１３を経て集光レンズ１４に至るように、光路１５が規定されている。レーザー光生成器１１は、主に近赤外線（波長が約７８０〜２０００ｎｍの範囲の光、特に水に吸収されやすい１４６０ｎｍが好ましい）からなる近赤外線レーザー光を生成する。集光レンズ１４は、ステージ３の下方に配置されている。ステージ移動装置４によって培養容器１００を水平方向に移動させながら、細胞Ｃに含まれる不要細胞が集光レンズ１４の鉛直上方にきたタイミングでレーザー光を照射することで、不要細胞を死滅させ、培養容器１００の底面から剥離させることができる。
【００２９】
撮影装置６は、撮影用対物レンズ２１、光学ミラー２２、２３、及び、撮像部２４を有する。撮影装置６においては、撮影用対物レンズ２１の視野内の画像が、光学ミラー２２、２３を経て撮像部２４で撮像されるように、光路２５が規定されている。撮影用対物レンズ２１は、ステージ３の下方に配置されている。撮像部２４は、例えばＣＣＤやＣＭＯＳからなるイメージセンサを有している。ステージ移動装置４による培養容器１００の水平方向への移動と、撮影装置６による撮影とを順番に繰り返すことで、培養容器１００内に点在している細胞Ｃの全領域を撮影することができる。撮影装置６によって撮影された画像データは、制御装置８に送られる。
【００３０】
照明装置７は、撮影用対物レンズ２１の鉛直上方に配置されており、撮影装置６による
撮影に必要な光量を供給する。言い換えると、照明装置７は、観察用の照明光を生成する。
【００３１】
レーザー光照射装置５の集光レンズ１４と、撮影装置６の撮影用対物レンズ２１とは、支持部材３１によって一体的に支持されている。支持部材３１は、昇降装置３２によって昇降可能に構成されている。これにより、集光レンズ１４及び撮影用対物レンズ２１は、昇降装置３２によって一体的に昇降可能となっている。つまり、昇降装置３２によって、集光レンズ１４及び撮影用対物レンズ２１のピントが調整される。
【００３２】
図２に示すように、制御装置８は、ステージ移動装置４、レーザー光照射装置５、撮影装置６、照明装置７、及び、昇降装置３２の各動作を制御する。制御装置８は、画像処理部（不図示）と記憶部（不図示）とを有する。画像処理部は、撮影装置６によって撮影された細胞Ｃの画像データに画像処理を施すことによって、細胞Ｃに含まれる不要細胞を検出してその位置情報を取得する。記憶部は、画像処理部によって取得された不要細胞の位置情報等を記憶する。
【００３３】
（不要細胞除去動作について）
次に、不要細胞除去装置１における不要細胞の除去動作について、図４を参照しつつ説明する。図４（ａ）、（ｂ）は、培養容器１００の観察領域を示す図である。
【００３４】
制御装置８（図２参照）は、不要な細胞の除去に先立って、ステージ移動装置４（図１参照）を制御してステージ３（図１参照）を水平方向に移動させながら、ディッシュ１０１の内側の底面の観察領域１０３（図４参照）を撮影装置６によって撮影し、画像データを取得する。図４に示すように、観察領域１０３の大きさ（例えば、直径約６ｃｍ）に比べて、撮影装置６が一度に撮影可能な撮影領域１０４はかなり小さい（例えば、約３ｍｍ角）。このため、制御装置８は、ステージ３を順次移動させながら（図４（ａ）の矢印参照）、撮影装置６に複数の画像データを取得させる。制御装置８は、観察領域１０３の全部又は一部を撮影装置６に撮影させる。取得された画像データは、制御装置８に送られる。
【００３５】
次に、制御装置８は、画像処理部（不図示）によって、取得された画像データに画像処理を施し、その画像から細胞Ｃ（細胞Ｃａ、Ｃｂ、Ｃｃ。図４参照）を検出する。さらに、制御装置８は、不要細胞を検出するとともに不要細胞の位置情報を取得し、当該位置情報を記憶部（不図示）に記憶させる。
【００３６】
次に、制御装置８は、記憶部に記憶されている不要細胞の位置情報に基づいて、ステージ移動装置４を制御し、細胞Ｃのうち不要細胞の部分が集光レンズ１４の直上に位置するようにステージ３を移動させる。そして、制御装置８は、ステージ移動装置４によってステージ３を約数十μｍの細かい単位で水平移動させながら、レーザー光照射装置５を制御してレーザー光を生成する。これにより、不要細胞にレーザー光が照射され、不要細胞が死滅する。死滅した不要細胞は、その後、ディッシュ１０１の底面から剥離する。制御装置８は、全ての不要細胞にレーザー光を照射し終えるまで、ステージ移動装置４によるステージ３の移動とレーザー光照射装置５によるレーザー光の照射を交互に繰り返し実行する。例えば、本実施形態では、図４（ｂ）の矢印に示すように、細胞Ｃａ、Ｃｂ、Ｃｃの順にレーザー光を照射するようにステージ３を移動させる。以上のような不要細胞除去処理を実行することで、細胞Ｃに含まれる不要細胞を除去することができ、目的細胞のみを培養することができるようになる。
【００３７】
ここで、不要細胞除去装置１においては、処理効率を高めるため、高速でステージ３を動かすことが求められる。しかしながら、ステージ移動装置４によってステージ３を急激に加減速させると、培養容器１００に作用する水平方向の慣性力によって培養容器１００の位置が微妙にずれ、撮影やレーザー照射の位置精度が悪化するおそれがある。これらの位置精度が悪化すると、不要細胞を除去できないおそれや、目的細胞まで除去してしまうおそれがある。このため、上述したような慣性力による培養容器１００の位置ずれを抑制する必要がある。特に、不要細胞を除去する際には、図４（ｂ）に示すように、ステージ３があらゆる方向に移動しうるため、慣性力も、培養容器１００に対してあらゆる方向に作用しうる。そこで、本実施形態では、ホルダ１０が以下の構成を有する。
【００３８】
（ホルダの構成）
ホルダ１０の構成について、図５〜図７を用いて説明する。なお、便宜上、図５に示す前後左右上下方向を、前後左右上下方向として、以下の説明を行う。図５における上下方向は、図１における上下方向と一致する。前後方向は、後述する回動軸４５の軸方向とも称する。
【００３９】
図５（ａ）、（ｂ）は、ホルダ１０の斜視図である。図６（ａ）、（ｂ）は、ホルダ１０の、前後方向に直交する断面図である。図７（ａ）は、ホルダ１０が保持位置（詳細は後述）に位置しているときのホルダ１０の平面図である。図７（ｂ）は、ホルダ１０を軸方向から見たときの側面図である。
【００４０】
ホルダ１０は、ステージ３上に固定され、培養容器１００を保持するためのものである。図５〜図７に示すように、ホルダ１０は、載置部材４０と、蓋部材５０と、係止部６０とを有する。大まかには、ホルダ１０は、載置部材４０の上に載置される培養容器１００を、蓋部材５０に取り付けられた押え板７０の押え面７１によって上方から押圧して保持する。蓋部材５０は、培養容器１００を交換可能な開放位置（図５（ａ）、図６（ａ）参照）と、培養容器１００を保持可能な保持位置（図５（ｂ）、図６（ｂ）参照）との間で移動可能（回動可能）である。係止部６０は、蓋部材５０を保持位置で係止する。なお、押え面７１と平行であり、且つ、前後方向と直交する方向を、直交方向とする。直交方向において、回動軸４５に近い側を一方側とし、遠い側を他方側とする。直交方向は、蓋部材５０の回動角度に応じて変化する。
【００４１】
載置部材４０は、培養容器１００が載置される矩形状の板部材である。載置部材４０は、例えば、ステージ３にねじ止めされて固定されている。載置部材４０は、水平方向に延びている。載置部材４０の前後方向及び左右方向における中央部には、照明装置７（図１参照）で生成される照明光やレーザー光生成器１１（図１参照）で生成されるレーザー光を通過させるための、円状の通過孔４１が形成されている（図５（ａ）等参照）。載置部材４０の、通過孔４１の縁部及びその周辺部は、他の部分と比べて薄くなっており（つまり、段差が設けられており）、培養容器１００の底部を収容可能な収容部４２となっている。収容部４２の上面は、培養容器１００が載置される載置面４３となっている。載置面４３の、ディッシュ１０１の外側の底面１０１ｂ（図３（ｂ）参照）と接触する部分には、例えば、樹脂製の滑り止め４４（図５（ａ）のハッチング部分参照）が配置されていることが好ましい。なお、収容部４２は必ずしも形成されていなくても良い。つまり、載置部材４０が平坦であり、その上面に培養容器１００が載置される構成となっていても良い。
【００４２】
載置面４３の面方向において、収容部４２の外側（すなわち、載置面４３のうち、ディッシュ１０１の底面１０１ｂと接触する部分よりも外側）には、回動軸４５が設けられている（図５（ａ）等参照）。本実施形態では、回動軸４５は、載置部材４０の左端部の上方に配置されている。回動軸４５は、載置部材４０に立設配置された支持部４６に支持され、前後方向に延びている。回動軸４５の軸中心は、蓋部材５０が保持位置に位置しているときの押え面７１よりも上方に配置されている（図６（ｂ）参照）。回動軸４５の軸方向における両端部には、ねじりばね４７が取り付けられている（図５（ａ）、図７（ｂ）参照）。ねじりばね４７は、蓋部材５０が保持位置から開放位置に移動する向きに蓋部材５０を付勢する（図７（ｂ）の矢印１１０参照）。また、左右方向において、載置部材４０の、収容部４２を挟んで回動軸４５の反対側には、係止部６０が配置されている（図５、図６参照）。
【００４３】
蓋部材５０は、載置部材４０との間に培養容器１００を挟んで保持するためのものである。蓋部材５０は、前後方向及び直交方向に延びる矩形状の板部材である。蓋部材５０の軸方向及び直交方向における中央部には、照明装置７（図１参照）で生成される照明光を通過させるための通過孔５１が形成されている（図５（ａ）等参照）。蓋部材５０の前後方向における両端部は略直角に折り曲げられており、直交方向に延びる側面部５２が形成されている。側面部５２の直交方向における一方側の端部は、回動軸４５に回動可能に支持されている。これにより、蓋部材５０は、回動軸４５を回動支点として、開放位置と保持位置との間で回動可能となっている。蓋部材５０の、直交方向における他方側の端部且つ前後方向（回動軸４５の軸方向）における中央部には、直交方向における他方側に突出する突出部５３が形成されている。突出部５３には、突出部５３が係止部６０によって係止されるための係止孔５４が形成されている。
【００４４】
蓋部材５０には、複数のばね８０（本発明の板付勢部材）を介して、押え板７０が取り付けられている（図５（ｂ）、図６等参照）。押え板７０は、培養容器１００の蓋１０２の上端面１０２ｂ（本発明の「観察用容器の上端面」）を上方から押さえるためのものである。押え板７０は、前後方向及び直交方向に延びる矩形状の板部材である。押え板７０は、蓋部材５０と対向するように配置されている（図５、図６参照）。押え板７０は、蓋１０２の上端面１０２ｂを押さえる押え面７１を有する。押え板７０は、蓋部材５０が保持位置に位置しているときに、押え面７１が蓋１０２の上端面１０２ｂに接触するように配置されている（図６（ｂ）参照）。なお、押え面７１は、上端面１０２ｂに接触する接触部分７４（図７（ａ）のハッチング部分参照）を含む面全体である。
【００４５】
押え板７０の前後方向及び直交方向における中央部には、照明装置７（図１参照）で生成される照明光を通過させるための通過孔７２（本発明の窓）が形成されている（図５（ａ）、図７（ａ）参照）。蓋部材５０が保持位置に位置しているとき、押え面７１が蓋１０２の上端面１０２ｂと平行になっており（図６（ｂ）参照）、通過孔７２の縁部７３（図７（ａ）参照）が、蓋１０２の上端面１０２ｂに接触している。つまり、押え面７１のうち上端面１０２ｂに接触する接触部分７４によって、上端面１０２ｂが押さえられる。押え板７０の、直交方向における一方側の部分には切欠７６が形成されている（図７（ａ）参照）。つまり、縁部７３の直交方向における一部が、上端面１０２ｂに接触しないように切り欠かれている。また、押え板７０の、ばね８０が取り付けられる部分には、後述する柱８１を挿通させる挿通孔７７が形成されている（図５（ａ）参照）。
【００４６】
複数（本実施形態では４つ）のばね８０は、蓋部材５０と押え板７０との間に介在し、蓋部材５０と押え板７０とを接続する部材である。ばね８０は、例えば圧縮コイルばねである。ばね８０の端部は、蓋部材５０及び押え板７０に固定されている。複数のばね８０は、蓋部材５０が保持位置に位置し、且つ、押え面７１が上端面１０２ｂを押さえているとき、複数の付勢位置（図７（ａ）参照）において押え板７０を下方へ付勢する。複数のばね８０の径方向内側には、柱８１（図５（ａ）、図６（ｂ）参照）がそれぞれ配置されている。柱８１は、蓋部材５０にねじ止めされている。これにより、ばね８０は柱８１に沿って安定的に伸縮可能である。
【００４７】
係止部６０は、蓋部材５０を保持位置で係止するためのものである。図６に示すように、係止部６０は、載置部材４０の右端部（すなわち、左右方向において、収容部４２を挟んで回動軸４５とは反対側の端部）の上方に設けられている。係止部６０は、載置部材４０に取り付けられた土台６１と、土台６１に回動可能に支持された回動部材６２（本発明のロック部材）とを有する。土台６１には、回動部材６２の回動支点となる回動軸６３が設けられている。回動部材６２は、保持位置に位置している蓋部材５０を係止する係止姿勢（図７（ｂ）の実線参照）と、蓋部材５０の係止を解除する解除姿勢（図７（ｂ）の二点鎖線参照）との間で姿勢を切換可能である。回動部材６２の上側部分には、蓋部材５０を係止する係止爪６４が取り付けられている（図６参照）。係止爪６４は、蓋部材５０が保持位置に位置しているときに、突出部５３の係止孔５４に嵌まることで、突出部５３を上方から押さえつけて蓋部材５０を係止する（図６（ｂ）参照）。回動軸６３には、ねじりばね６５（本発明のロック付勢部材）が取り付けられている（図６（ｂ）参照）。回動部材６２は、ねじりばね６５によって、解除姿勢から係止姿勢に変化する向きに付勢されている（図７（ｂ）の矢印１１１参照）。これにより、回動部材６２が係止姿勢をとっているときに、ステージ３の加減速等のはずみで回動部材６２が解除姿勢になることが抑制される。
【００４８】
（ばねの配置位置及び切欠の形成位置）
ばね８０の配置位置（すなわち、ばね８０が押え板を付勢する付勢位置）及び切欠７６の形成位置について、図８を用いて説明する。図８（ａ）、（ｂ）は、蓋部材５０（図５等参照）が保持位置に位置しているときの載置部材４０、押え板７０、ばね８０、回動軸４５、及び培養容器１００のみを模式的に表した平面図である。図８（ａ）、（ｂ）において、押え面７１のうち上端面１０２ｂに接触する接触部分７４の中心を、中心Ｃ０とする。本実施形態の中心Ｃ０は、接触部分７４をリング状とみなしたときの（言い換えると、切欠７６が存在しておらず、縁部７３が全周に亘って設けられていると考えたときの）仮想的なリング状領域７５の中心である。
【００４９】
図８（ａ）、（ｂ）に示すように、複数のばね８０（ばね８２〜８５）は、押え面７１の面方向において、押え板７０の四隅に等間隔で配置されている。つまり、蓋部材５０が保持位置に位置しているとき、ばね８２は押え板７０の左後端部、ばね８３は押え板７０の右後端部、ばね８４は押え板７０の左前端部、ばね８５は押え板７０の右前端部にそれぞれ配置されている。言い換えると、図８（ａ）に示すように、中心Ｃ０を通り、直交方向に延びる中心線Ｃ１（本発明の第１中心線）によって押え面７１を前後２つの領域Ｒ１、Ｒ２に分けたときに、ばね８２、８３は領域Ｒ１に、ばね８４、８５は領域Ｒ２にそれぞれ位置する。すなわち、付勢位置が領域Ｒ１、Ｒ２の両方に存在する。また、図８（ｂ）に示すように、中心Ｃ０を通り、且つ、中心線Ｃ１と直交する中心線Ｃ２（本発明の第２中心線）によって押え面７１を左右２つの領域Ｒ３、Ｒ４に分けたときに、ばね８２、８４は領域Ｒ３に、ばね８３、８５は領域Ｒ４にそれぞれ位置する。すなわち、付勢位置が領域Ｒ３、Ｒ４の両方に存在する。このように、複数のばね８０は、押え面７１の面内で均等に配置されており、押え板７０を均等に付勢する。
【００５０】
切欠７６は、直交方向において、中心線Ｃ２よりも一方側に形成されている。言い換えると、縁部７３は、直交方向において、中心Ｃ０よりも回動軸４５側に位置する途中部よりも、さらに回動軸４５側の部分が切り欠かれている。
【００５１】
（培養容器の着脱方法）
次に、上記の構成を有するホルダ１０における培養容器１００の着脱方法、及び、培養容器１００の着脱時におけるホルダ１０の動作について、図６〜図９を用いて説明する。図９は、押え板７０の押え面７１と培養容器１００の蓋１０２の上端面１０２ｂとのなす角を示す図である。
【００５２】
初期状態として、ホルダ１０の蓋部材５０が開放位置（図６（ａ）参照）に位置しており、且つ、載置面４３に培養容器１００が載置されていない状態である。蓋部材５０が開放位置に位置しているとき、ばね８０は圧縮されておらず（図６（ａ）参照）、押え板７０は付勢されていない。まず、作業者（不図示）は、載置面４３に培養容器１００を載置する。次に、開放位置に位置している蓋部材５０を回動させて、押え板７０の押え面７１を培養容器１００の蓋１０２の上端面１０２ｂに接触させる。このとき、押え板７０に切欠７６（図７（ａ）参照）が形成されていない場合、図９に示すように、押え面７１が上端面１０２ｂに対して大きく傾いた状態で、押え面７１の直交方向における一方側端部が上端面１０２ｂの左端部に接触するおそれがある（図９の二点鎖線参照）。これにより、培養容器１００が傾く等のおそれがある。本実施形態では、押え板７０の縁部７３に切欠７６が形成されているため、押え面７１が上端面１０２ｂに接触するときの押え面７１の傾きを緩やかにすることができる（図９の実線参照）。また、回動軸４５の軸中心が、蓋部材５０が保持位置に位置しているときの押え面７１よりも上方に配置されており、高い位置にある。このため、押え面７１が上端面１０２ｂに接触するときの押え面７１の傾きをさらに緩やかにすることができる。
【００５３】
次に、蓋部材５０を保持位置まで移動させた後、係止部６０によって蓋部材５０の突出部５３を上方から押さえつけ、蓋部材５０を保持位置で係止させる（図６（ｂ）参照）。蓋部材５０が保持位置に位置しているとき、押え面７１が培養容器１００の上端面１０２ｂによって押し返され、ばね８０が圧縮される（図６（ｂ）参照）。このとき、蓋部材５０は、係止部６０によって係止されており、上方への移動が規制されている。このため、圧縮されているばね８０の弾性復元力によって押え板７０が下方へ付勢され（図６（ｂ）のブロック矢印参照）、押え面７１によって上端面１０２ｂが下方へ押圧される。これにより、ディッシュ１０１の外側の底面１０１ｂが載置面４３に押し付けられ、載置面４３からの垂直抗力によって底面１０１ｂと載置面４３との間に摩擦力が働く。なお、本実施形態では、底面１０１ｂと載置面４３との間に滑り止め４４が配置されているので、摩擦力はより強くなる。
【００５４】
ここで、上述したように、ばね８０は、押え面７１の面方向において均等に配置され、押え板７０を均等に付勢している（図８参照）。これにより、水平面内で、摩擦力が底面１０１ｂと載置面４３との間に均等に働くので、ホルダ１０が固定されているステージ３がいかなる方向に移動しても、上記摩擦力によって、培養容器１００に作用する慣性力に抗うことができる。これにより、ステージ３の移動方向によらず、培養容器１００の位置ずれが抑制される。なお、ばね８０が圧縮されている状態では、押え板７０と蓋部材５０との距離が近くなっており、蓋部材５０に固定されている柱８１は、押え板７０よりも下方へ突出している。また、保持位置に位置している蓋部材５０は、圧縮されているばね８０の弾性復元力によって上方へ付勢されるため、蓋部材５０の突出部５３が係止部６０によってしっかり受け止められる。
【００５５】
また、培養容器１００の交換時等、蓋部材５０を保持位置から開放位置に移動させる場合、作業者が係止部６０の回動部材６２を回動させて、回動部材６２を解除姿勢にする（図７（ｂ）の二点鎖線参照）。このとき、蓋部材５０の係止が解除されており、且つ、上述したように蓋部材５０がねじりばね４７によって付勢されているため、保持位置（図７（ｂ）の実線参照）から開放位置（図７（ｂ）の二点鎖線参照）に移動する。これにより、培養容器１００の交換時等に、作業者が蓋部材５０を回動させて開放位置に移動させる手間を省くことができる。
【００５６】
以上のように、蓋部材５０が保持位置で係止されているとき、蓋部材５０に取り付けられた押え板７０の押え面７１によって培養容器１００の上端面１０２ｂが押さえられ、且つ、ばね８０によって押え板７０が下方へ付勢される。これにより、培養容器１００が押え板７０によって押圧される。このため、培養容器１００が載置面４３から受ける垂直抗力が大きくなり、培養容器１００と載置面４３との間に働く摩擦力が大きくなる。
【００５７】
さらに、ばね８０によって、複数の付勢位置において押え板７０が付勢される。具体的には、押え板を中心線Ｃ１によって２つの領域Ｒ１、Ｒ２に分けたときに、両方の領域に付勢位置が存在する。また、押え板７０を中心線Ｃ２によって２つの領域Ｒ３、Ｒ４に分けたときにも、両方の領域に付勢位置が存在する。このため、ばね８０によって押え面７１を均等に付勢することができ、培養容器１００の上端面１０２ｂを接触部分７４によって均等に押圧することができる。これにより、培養容器１００の底面１０１ｂと載置面４３との間に働く摩擦力を均等にすることができるため、ステージ３の移動の向きによらず、培養容器１００の位置ずれを抑制することができる。また、ホルダ１０は、上方から培養容器１００を押圧するだけの単純な構成であり、培養容器１００の側面を固定するための押えねじ等が必要ないので、構造の複雑化を抑制できる。したがって、ステージ３の移動の向きによらず、単純な構成によって、培養容器１００の位置ずれを抑制することができる。
【００５８】
また、開放位置に位置している蓋部材５０を回動させ、係止部６０によって蓋部材５０を保持位置で係止させることで、不要細胞除去装置１を使用可能な状態にすることができる。逆に、保持位置に位置している蓋部材５０を回動させて開放位置に位置させることで、培養容器１００の交換を行うことができる。このように、単純な操作によって、蓋部材５０の位置を保持位置と開放位置との間で変更することができる。したがって、培養容器１００の交換作業等を容易に行うことができる。
【００５９】
また、回動軸４５の軸中心が、蓋部材５０が保持位置に位置しているときの押え面７１よりも上方に配置されており、高い位置にある。このため、押え板７０の接触部分７４を培養容器１００の上端面１０２ｂに接触させる際に、上端面１０２ｂに対する押え面７１の角度を緩やかにすることができる。したがって、培養容器１００が傾くこと等を抑制できる。
【００６０】
また、縁部７３のうち、直交方向において回動軸４５に近い部分が、培養容器１００の上端面１０２ｂに接触しないように切り欠かれている。つまり、縁部７３の全周に亘って接触部分７４が形成されているのではない。これにより、培養容器１００の上端面１０２ｂを押え面７１によって均等に押圧しつつ、接触部分７４を培養容器１００の上端面１０２ｂに接触させる際に押え面７１の角度を緩やかにすることができる。
【００６１】
また、培養容器１００の交換時等に、係止部６０による蓋部材５０の係止を解除することで、蓋部材５０が、ねじりばね４７によって付勢されて保持位置から開放位置に移動する。このため、培養容器１００の交換時等に、作業者が蓋部材５０を回動させて開放位置に移動させる手間を省くことができる。
【００６２】
また、本発明では、ねじりばね６５によって、回動部材６２が解除姿勢から係止姿勢に変化する向きに付勢されているので、ばね８０及び押え板７０による培養容器１００の押圧が解除されることを抑制できる。
【００６３】
また、蓋部材５０が保持位置に位置しているとき、培養容器１００が必ずしも載置面４３に載置されているとは限らない。例えば、不要細胞除去装置１の立上げ時等に、培養容器１００がホルダ１０に保持されていない状態でステージ３が動かされることも想定される。培養容器１００が載置面４３に載置されていない場合、押え板７０が押し返されないため、ばね８０が圧縮されない。このため、保持位置に位置している蓋部材５０には、ばね８０による上方への付勢力が作用せず、係止部６０による蓋部材５０の係止が緩くなるおそれがある。このような状態では、ステージ３の加減速等のはずみにより、係止部６０の回動部材６２が解除姿勢になりやすいおそれがある。さらに、蓋部材５０がねじりばね４７によって付勢されている構成では、回動部材６２が解除姿勢になると、蓋部材５０が保持位置から開放位置に移動して照明装置７に衝突する等のおそれがある。本実施形態では、回動部材６２が解除姿勢から係止姿勢に変化する向きに付勢されているため、そのような不具合の発生を防止することもできる。
【００６４】
次に、前記実施形態に変更を加えた変形例について説明する。但し、前記実施形態と同様の構成を有するものについては、同じ符号を付して適宜その説明を省略する。
【００６５】
（１）前記実施形態において、蓋部材５０と押え板７０との間に介在するばね８０の数は４つであるものとしたが、これには限られない。例えば、図１０（ａ）に示すように、ホルダ９０において、ばね８０の数が３つであっても良い。この構成においても、押え面７１を中心線Ｃ１で２つの領域に分けたときに、いずれの領域にもばね８０が配置されている。また、押え面７１を中心線Ｃ２で２つの領域に分けたときにも、いずれの領域にもばね８０が配置されている。これにより、押え板７０を均等に付勢することができる。なお、ばね８０の数は、５つ以上でも良い。また、ばね８０は必ずしも等間隔で配置されていなくても良い。
【００６６】
（２）前記までの実施形態において、ばね８０として圧縮コイルばねを用いるものとしたが、これには限られない。例えば、ばね８０として板ばね等を適用しても良い。或いは、例えば、図１０（ｂ）に示すように、ホルダ９１において、蓋部材５０と押え板７０との間に、ゴム等からなる平面視Ｃ字状の弾性部材８０ａが介在していても良い。この場合、付勢位置が押え板７０の面内で連続している。このような構成も、本発明における「複数の付勢位置において押え板を下方へ付勢する」構成に含まれる。
【００６７】
（３）前記までの実施形態において、蓋部材５０を回動可能に支持する回動軸４５の軸心が、蓋部材５０が保持位置に位置しているときの押え面７１よりも上方に配置されているものとしたが、これには限られない。回動軸４５の軸心が低い位置にある場合でも、作業者が培養容器１００を押さえながら蓋部材５０を慎重に回動させることで、蓋部材５０を開放位置から保持位置に移動させる際に、培養容器１００が傾くことを防ぐことは可能である。
【００６８】
（４）前記までの実施形態において、押え板７０に切欠７６が形成されているものとしたが、これには限られない。押え板７０に切欠７６が形成されていない場合でも、前記（３）の変形例と同様に、作業者が培養容器１００を押さえながら蓋部材５０を慎重に回動させることで、培養容器１００が傾くことを防ぐことは可能である。
【００６９】
（５）前記までの実施形態において、蓋部材５０は、回動軸４５に取り付けられたねじりばね４７によって、保持位置から開放位置に移動する向きに付勢されているものとしたが、これには限られない。すなわち、回動軸４５にねじりばね４７が取り付けられていなくても良い。この場合、培養容器１００の交換時において、作業性は若干低下するが、作業者が、係止部６０の回動部材６２を解除姿勢にした状態で蓋部材５０を回動させ、蓋部材５０を保持位置から開放位置に移動させれば良い。
【００７０】
（６）前記までの実施形態において、蓋部材５０が回動軸４５を回動中心として回動可能であるものとしたが、これには限られない。例えば、図１１（ａ）、（ｂ）に示すホルダ９２のように、載置部材４０ａの左右両端部に係止部６０がそれぞれ逆向きに取り付けられており、且つ、蓋部材５０ａの左右両端部に突出部５３が設けられていても良い。この構成では、蓋部材５０ａがホルダ９２に対して着脱可能となっている。また、図１１（ａ）に示すように、押え板７０ａに形成された通過孔７２ａが円形であり、培養容器１００に接触する縁部７３ａが切り欠かれていなくても良い。以上の構成を有するホルダ９２においては、蓋部材５０ａを上方から装着することが可能となっている（図１１（ｂ）の二点鎖線参照）。すなわち、蓋部材５０ａを保持位置に移動させる際には、２つの係止部６０の回動部材６２をそれぞれ回動させて解除姿勢にし、押え板７０ａによって培養容器１００を押さえる。その後、２つの回動部材６２を係止姿勢にすることで、蓋部材５０ａを保持位置に位置させ、押え面７１ａで培養容器１００を押さえることができる。このような構成では、蓋部材５０ａの構造を単純化することができる。なお、係止部６０は載置部材４０ａの左右両端部に設けられているものとしたが、これには限られない。すなわち、係止部６０は、さらに、前後両端部にも設けられていても良い。これにより、蓋部材５０ａをより安定的に係止させることができる。
【００７１】
（７）前記までの実施形態において、ホルダ１０等は、円筒状の培養容器１００を保持可能であるものとしたが、これには限られない。以下、図１２及び図１３を用いて説明する。図１２は、培養容器２００の斜視図である。図１３（ａ）は、培養容器２００を保持するホルダ９３の平面図である。図１３（ｂ）は、ばね８０による押え板７０ｂの付勢位置を示す図である。
【００７２】
図１２に示すように、培養容器２００は、例えば、ウェルプレートと呼ばれる直方体状の容器である。培養容器２００の上端面２０１には、複数の窪み２０２が形成されている。窪み２０２の内側に培養液及び細胞（図示省略）が入れられる。培養容器２００の上端部は、不図示の蓋で覆われていても良い。
【００７３】
培養容器２００を保持可能なホルダ９３は、例えば前記（６）の変形例と同様に、載置部材４０ｂの左右両端部に係止部６０が設けられており、蓋部材５０ｂの左右両端部が係止される構成（図１３（ａ）参照）でも良い。或いは、蓋部材５０ｂが回動可能であっても良い。図１３（ａ）に示すように、蓋部材５０ｂには、複数の窪み２０２に対応して、複数の通過孔５１ｂが形成されている。同様に、押え板７０ｂにも、複数の窪み２０２の位置に対応する複数の通過孔７２ｂが形成されている。なお、押え板７０ｂは、培養容器２００の上端面２０１（図１２参照）を通過孔７２ｂの縁部７３ｂのみによって押さえるのではなく、押え面７１ｂのほぼ全体によって、上端面２０１を押さえることが可能となっている。つまり、図１３（ｂ）に示すように、押え板７０ｂの四隅だけではなく、押え面７１ｂの内側部分にもばね８０を配置することが可能である。この変形例においても、押え面７１ｂを中心線Ｃ１によって２つの領域に分けたときに、両方の領域にばね８０が配置されている。同様に、押え面７１ｂを中心線Ｃ２によって２つの領域に分けたときにも、両方の領域にばね８０が配置されている。これにより、押え板７０ｂを面内で均等に付勢できる。
【００７４】
（８）前記までの実施形態において、係止部６０の回動部材６２がねじりばね６５によって付勢されるものとしたが、これには限られない。例えば、係止部６０は、コイルばね（不図示）等のロック付勢部材によって左右方向に付勢されるロック部材（不図示）を有しており、ロック部材によって蓋部材５０等を保持位置で係止しても良い。或いは、ロック部材は、必ずしも解除姿勢から係止姿勢に変化する向きに付勢されていなくても良い。
【００７５】
（９）前記までの実施形態において、ホルダ１０等は、不要細胞除去装置１に適用されるものとしたが、これには限られない。すなわち、本発明は、ステージを移動させるステージ移動装置を備える様々な顕微鏡に適用可能である。また、載置部材４０、蓋部材５０、押え板７０には、それぞれ通過孔４１、５１、７２が形成されているものとしたが、これには限られない。例えば、上方から照明光を照射して上方から観察対象物を観察するように構成された顕微鏡においては、載置部材４０に通過孔が形成されていなくても良い。また、下方から照明光を照射して下方から観察対象物を観察するように構成された顕微鏡においては、蓋部材５０及び押え板７０に通過孔が形成されていなくても良い。また、観察用容器として、細胞を培養する培養容器１００等以外の容器を用いても良い。
【符号の説明】
【００７６】
１            不要細胞除去装置（顕微鏡）
３            ステージ
４            ステージ移動装置
７            照明装置
１０          ホルダ
４０          載置部材
４３          載置面
４５          回動軸
５０          蓋部材
６０          係止部
６２          回動部材（ロック部材）
６５          ねじりばね（ロック付勢部材）
７０          押え板
７１          押え面
７２          通過孔（窓）
７３          縁部
７４          接触部分
８０          ばね（板付勢部材）
１００        培養容器（観察用容器）
１０１ｂ      底面
１０２ｂ      上端面
Ｃ０          中心
Ｃ１          中心線（第１中心線）
Ｃ２          中心線（第２中心線）
Ｒ１          領域
Ｒ２          領域
Ｒ３          領域
Ｒ４          領域
【図１】
2019128547.tif 000003
【図２】
2019128547.tif 000004
【図３】
2019128547.tif 000005
【図４】
2019128547.tif 000006
【図５】
2019128547.tif 000007
【図６】
2019128547.tif 000008
【図７】
2019128547.tif 000009
【図８】
2019128547.tif 000010
【図９】
2019128547.tif 000011
【図１０】
2019128547.tif 000012
【図１１】
2019128547.tif 000013
【図１２】
2019128547.tif 000014
【図１３】
2019128547.tif 000015